(57)【要約】【課題】地上波デジタル放送信号をＣＡＴＶ伝送路を用いて送信することのできる放送信号送信方法を提案する。【解決手段】ケーブルテレビのＨ／Ｅ（ヘッドエンド）１は、各復調換送出装置の復調部１０１でネットワークごとに地上波デジタル放送信号を復調し、含まれるネットワークＩＤや周波数などを示すＮＩＴ（ネットワーク情報テーブル）をＮＩＴ取得部１０２において各々ネットワークごとに取得する。取得されたＮＩＴは、ＮＩＴ解析処理部１０５１において解析され、その解析結果に基づいて、ＮＩＴ生成部１０５２において、新たな１つのネットワークＩＤを示すＮＩＴが生成される。そして、変調部１０４において、新たなＮＩＴが復調された各放送信号に書換えられ、それらの放送信号が合成されてケーブルテレビ伝送路へ送出される。【選択図】        図４
2004242074.tif 000002
【特許請求の範囲】
【請求項１】
各々ネットワーク固有情報を含むｎ個の放送信号を、各ネットワークを介して受信する受信ステップと、
前記受信したｎ個の放送信号から、ｎ個の前記ネットワーク固有情報を取得する取得ステップと、
前記受信した放送信号に、前記ｎ個より小なるｍ個のネットワーク固有情報を割当てる割当ステップとを備える、放送信号送信方法。
【請求項２】
前記割当ステップは、
前記取得したｎ個のネットワーク固有情報を解析する解析ステップと、
前記解析結果に基づいて、新たな前記ｍ個のネットワーク固有情報を生成する生成ステップと、
前記受信した放送信号に含まれるネットワーク固有情報を、前記生成した新たなネットワーク固有情報に書換える書換ステップとを備える、請求項１に記載の放送信号送信方法。
【請求項３】
前記受信する放送信号は地上波デジタル放送信号であって、
前記受信した地上波デジタル放送信号を伝送チャンネルごとに所定の方式を用いてトランスポートストリームに復調する復調ステップと、
前記書換ステップにおいて、前記ネットワーク固有情報が前記新たなネットワーク固有情報に書換えられたトランスポートストリームを、ケーブルテレビ放送用の放送信号に変調する変調ステップと、
前記変調された放送信号を、前記ケーブルテレビ伝送路に送出する送出ステップとを備える、請求項１または２に記載の放送信号送信方法。
【請求項４】
各々ネットワーク固有情報を含むｎ個の放送信号を、各ネットワークを介して受信する受信手段と、
前記受信したｎ個の放送信号から、ｎ個の前記ネットワーク固有情報を取得する取得手段と、
前記受信した放送信号に、前記ｎ個より小なるｍ個のネットワーク固有情報を割当てる割当手段とを備える、放送信号送信装置。
【請求項５】
前記割当手段は、
前記取得したｎ個のネットワーク固有情報を解析する解析手段と、
前記解析結果に基づいて、新たな前記ｍ個のネットワーク固有情報を生成する生成手段と、
前記受信した放送信号に含まれるネットワーク固有情報を、前記生成した新たなネットワーク固有情報に書換える書換手段とを備える、請求項４に記載の放送信号送信装置。
【請求項６】
前記受信する放送信号は地上波デジタル放送信号であって、
前記受信した地上波デジタル放送信号を伝送チャンネルごとに所定の方式を用いてトランスポートストリームに復調する復調手段と、
前記書換手段において、前記ネットワーク固有情報が前記新たなネットワーク固有情報に書換えられたトランスポートストリームを、ケーブルテレビ放送用の放送信号に変調する変調手段と、
前記変調された放送信号を、前記ケーブルテレビ伝送路に送出する送出手段とを備える、請求項４または５に記載の放送信号送信装置。
【発明の詳細な説明】
【０００１】
【発明の属する技術分野】
この発明は放送信号送信方法および放送信号送信装置に関し、特に、デジタル放送信号をケーブルテレビ放送用の伝送路を用いて最適に送信することのできる放送信号送信方法および放送信号送信装置に関する。
【０００２】
【従来の技術】
デジタル放送として、デジタル衛星放送が広く普及している。このようなデジタル衛星放送信号を配信する方法として、従来より様々な方法が提案されている。
【０００３】
デジタル衛星放送において、通信衛星を介して、放送信号の送信元である各放送局から受信機への放送信号の送信は、１つのネットワークにおける１方向または双方向の通信である。１つのネットワークで送信される衛星放送信号には、ＭＰＥＧ２（Ｍｏｖｉｎｇ  Ｐｉｃｔｕｒｅｓ  Ｅｘｐｅｒｔｓ  Ｇｒｏｕｐ  ２）方式で圧縮された番組情報や、伝送路に関する物理的な情報であるＮＩＴ（Ｎｅｔｗｏｒｋ  Ｉｎｆｏｒｍａｔｉｏｎ  Ｔａｂｌｅ）などの情報が多重化されて含まれている。
【０００４】
図７に示されるように、ネットワークで送信されているデジタル放送信号を、各家庭の受信機で直接受信する場合には、受信機において各ネットワークごとに処理を行なう必要がある。そのため、異なるネットワーク間の処理を行なう場合、具体的には、チャンネルを切替えた場合には処理を切替える必要があり、処理量が多くなったり処理速度が遅くなったりする場合がある。
【０００５】
一方、図８に示されるように、通信衛星を介したネットワークで送信されているデジタル衛星放送信号を変調変換装置により変調方式を変換してＣＡＴＶ伝送路を介したネットワークで再配信する方法も従来より提案されている。この場合、デジタル放送信号には通信衛星を介したネットワークに固有なＮＩＴが含まれるため、変調変換装置で変調方式を空間伝送からケーブル伝送のために変換するだけでは、ＣＡＴＶ伝送路を介したネットワークで再配信するのには適さない。
【０００６】
そこで、通信衛星を介したネットワークに固有なＮＩＴを検出し、検出したＮＩＴをＣＡＴＶ伝送路を介したネットワークに適合するように変更し、デジタル放送信号に含まれるＮＩＴを変更したＮＩＴに置換えて、各放送局から送信されたデジタル放送信号にそのネットワークに対応する各々ＮＩＴを付加することで、ＣＡＴＶ伝送路を介したネットワークで再配信する放送信号を得るようにしている。
【０００７】
特許文献１にもこのような技術が開示されており、デジタル衛星放送信号を復調し、復調した信号を変調することによって、ＣＡＴＶ伝送路での再配送を可能にする情報送信装置について開示している。
【０００８】
さらに、特許文献２においては、ＮＩＴ中のネットワークの識別コードであるネットワークＩＤは元のＩＤのままにすることによって、複数のネットワークで送信されているディジタル放送信号をＣＡＴＶ伝送路を介したネットワークで再配信する場合に、どのネットワークで送信されていた放送信号であるのかを判別することのできる信号処理装置が開示されている。
【０００９】
近年、地上波デジタル放送の開始に伴ない、様々な受信方法が提案されている。その１つの方法として、上述の技術を応用して地上波デジタル放送信号をＣＡＴＶ（ケーブルテレビ）の伝送路を利用して再配信する方法が考えられる。
【００１０】
【特許文献１】
特開平１１−３５５２２７号公報
【００１１】
【特許文献２】
特開平１１−２７５５４６号公報
【００１２】
【発明が解決しようとする課題】
しかしながら、地上波デジタル放送は、現在地上波放送を行なっている各放送局が行なうため、ネットワークの数がデジタル衛星放送のネットワーク数と比較しても格段に多い。そのため、ＣＡＴＶ伝送路で上述のように変調した放送信号に各ネットワークごとのＮＩＴを付加して再配信すると、ＮＩＴの情報量が膨大になり、同軸ケーブルを利用したＣＡＴＶ伝送路での伝送量を超過してしまうおそれがあるという問題があった。
【００１３】
また、ＣＡＴＶ伝送路を介して放送信号を受信した受信機では、各ネットワークごとに付加されているＮＩＴを解析し、各放送信号を受信するためにメモリに記憶させておく必要がある。そのため、ＮＩＴの数が膨大になるとその処理量や記憶情報量も膨大になる。その結果、受信機における処理速度が低下するという問題や、受信機の構成も複雑になるという問題もあった。
【００１４】
本発明はこのような問題に鑑みてなされたものであって、地上波デジタル放送信号をＣＡＴＶ伝送路を用いて最適に送信することのできる放送信号送信方法および放送信号送信装置を提供することを目的とする。
【００１５】
【課題を解決するための手段】
上記目的を達成するために、本発明のある局面に従うと、放送信号送信方法は、各々ネットワーク固有情報を含むｎ個の放送信号を、各ネットワークを介して受信する受信ステップと、受信したｎ個の放送信号から、ｎ個のネットワーク固有情報を取得する取得ステップと、受信した放送信号に、ｎ個より小なるｍ個のネットワーク固有情報を割当てる割当ステップとを備える。
【００１６】
このような放送信号送信方法を採用することによって、各々ネットワーク固有情報を含む多数個の放送信号に対して、それよりも少数のネットワーク固有情報が割当てられるため、受信機においてネットワーク固有情報ごとに行なう処理を軽減させることができる。
【００１７】
また、割当ステップは、取得したｎ個のネットワーク固有情報を解析する解析ステップと、解析結果に基づいて、新たなｍ個のネットワーク固有情報を生成する生成ステップと、受信した放送信号に含まれるネットワーク固有情報を、生成した新たなネットワーク固有情報に書換える書換ステップとを備えることが望ましい。
【００１８】
このような放送信号送信方法を採用することによって、各々ネットワーク固有情報を含む多数個の放送信号に対して、それよりも少数のネットワーク固有情報が割当てられるため、受信機においてネットワーク固有情報ごとに行なう処理を軽減させることができる。
【００１９】
さらに、受信する放送信号は地上波デジタル放送信号であって、受信した地上波デジタル放送信号を伝送チャンネルごとに所定の方式を用いてトランスポートストリームに復調する復調ステップと、書換ステップにおいて、ネットワーク固有情報が新たなネットワーク固有情報に書換えられたトランスポートストリームを、ケーブルテレビ放送用の放送信号に変調する変調ステップと、変調された放送信号を、ケーブルテレビ伝送路に送出する送出ステップとを備えることが望ましい。
【００２０】
このような放送信号送信方法を採用することによって、各々ネットワーク固有情報を含む多数個の地上波デジタル放送信号に対して、それよりも少数のネットワーク固有情報が割当てられるため、ケーブルテレビ受信機においてネットワーク固有情報ごとに行なう処理を軽減させることができる。
【００２１】
本発明の他の局面に従うと、放送信号送信装置は、各々ネットワーク固有情報を含むｎ個の放送信号を、各ネットワークを介して受信する受信手段と、受信したｎ個の放送信号から、ｎ個の前記ネットワーク固有情報を取得する取得手段と、受信した放送信号に、ｎ個より小なるｍ個のネットワーク固有情報を割当てる割当手段とを備える。
【００２２】
放送信号送信装置が上述の手段を備えることで、各々ネットワーク固有情報を含む多数個の放送信号に対して、それよりも少数のネットワーク固有情報が割当てられるため、受信機においてネットワーク固有情報ごとに行なう処理を軽減させることができる。
【００２３】
また、割当手段は、取得したｎ個のネットワーク固有情報を解析する解析手段と、解析結果に基づいて、新たなｍ個のネットワーク固有情報を生成する生成手段と、受信した放送信号に含まれるネットワーク固有情報を、生成した新たなネットワーク固有情報に書換える書換手段とを備えることが望ましい。
【００２４】
放送信号送信装置が上述の手段を備えることで、各々ネットワーク固有情報を含む多数個の放送信号に対して、それよりも少数のネットワーク固有情報が割当てられるため、受信機においてネットワーク固有情報ごとに行なう処理を軽減させることができる。
【００２５】
さらに、受信する放送信号は地上波デジタル放送信号であって、受信した地上波デジタル放送信号を伝送チャンネルごとに所定の方式を用いてトランスポートストリームに復調する復調手段と、書換手段において、ネットワーク固有情報が新たなネットワーク固有情報に書換えられたトランスポートストリームを、ケーブルテレビ放送用の放送信号に変調する変調手段と、変調された放送信号を、ケーブルテレビ伝送路に送出する送出手段とを備えることが望ましい。
【００２６】
放送信号送信装置が上述の手段を備えることで、各々ネットワーク固有情報を含む多数個の地上波デジタル放送信号に対して、それよりも少数のネットワーク固有情報が割当てられるため、ケーブルテレビ受信機においてネットワーク固有情報ごとに行なう処理を軽減させることができる。
【００２７】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２８】
図１は、本実施の形態におけるデジタル放送送信システムの構成の具体例を示す図である。図１を参照して、本実施の形態においては、各放送局Ａ〜Ｎから地上波デジタル信号で送信された放送信号をケーブルテレビ（以下、ＣＡＴＶという）のＨ／Ｅ（ヘッドエンド）１で信号変換し、ＣＡＴＶネットワーク（以下、ＣＡＴＶ伝送路という）を介して各家庭の受信装置であるＳＴＢ（セットトップボックス）５に対して再配信する。
【００２９】
Ｈ／Ｅ１は、ＣＡＴＶ事業者に備えられる放送信号送信装置であって、本実施の形態においては、トランスモジュレーション方式で地上波デジタル放送信号を変換してＳＴＢ５に対してＣＡＴＶ用の信号として再配信することを前提とする。なお、トランスモジュレーション方式については、ＢＳデジタル放送のトランスモジュレーション方式についての規定が「デジタル有線テレビジョン放送  多重化装置」（社団法人日本ＣＡＴＶ技術協会標準規格ＪＣＴＥＡ）や「ＢＳデジタル放送トランスモジュレーション運用仕様」（日本ケーブルラボ仕様ＪＣＬ  ＳＰＥＣ−００１）などに記載されている。
【００３０】
すなわち、Ｈ／Ｅ１は、各放送局Ａ〜Ｎから送信された地上波デジタル放送信号をＭＰＥＧ２（Ｍｏｖｉｎｇ  Ｐｉｃｔｕｒｅｓ  Ｅｘｐｅｒｔｓ  Ｇｒｏｕｐ  ２）に基づく番組放送用のトランスポートストリーム（以下、トランスポートストリームをＴＳという）で受信し、これをＣＡＴＶ用のデジタル放送信号に変換する。
【００３１】
ＭＰＥＧ２に基づくＴＳは、以下に説明する各情報や、映像・音声本体のデータのストリームがパケット化して時分割多重化されており、各パケットは、パケットヘッダ部とデータ部とから構成される。さらに、パケットヘッダ部には、当該パケットを識別するパケットＩＤ（ＰＩＤ）が配される。また、データ部には、映像・音声等のストリームであるＰＥＳ（Ｐａｃｋｅｔｉｚｅｄ  Ｅｌｅｍｅｎｔａｒｙ  Ｓｔｒｅａｍ）パケットと、ＭＰＥＧ２システムで規定されているプログラム仕様情報（ＰＳＩ：Ｐｒｏｇｒａｍ  Ｓｐｅｃｉｆｉｃ  Ｉｎｆｏｒｍａｔｉｏｎ）としてのプログラムアソシエーション・テーブル（ＰＡＴ：Ｐｒｏｇｒａｍ  Ａｓｓｏｃｉａｔｉｏｎ  Ｔａｂｌｅ）、プログラム・マップ・テーブル（ＰＭＴ：Ｐｒｏｇｒａｍ  Ｍａｐ  Ｔａｂｌｅ）、ネットワーク情報テーブル（ＮＩＴ：Ｎｅｔｗｏｒｋ  Ｉｎｆｏｍａｔｉｏｎ  Ｔａｂｌｅ）等のテーブルとが配される。
【００３２】
ＰＳＩは、簡便な選局操作およびプログラム選択を実現するために必要な情報である。ＰＳＩであるＰＡＴは、各プログラム番号ごとに、そのプログラムを構成するパケットの情報を伝送するＰＭＴのＰＩＤを示す。また、ＰＭＴは、各プログラム番号ごとに、そのプログラムを構成する映像、音声、付加データ等のストリームが伝送されるパケットのＰＩＤを示す。ＰＭＴ自体のＰＩＤは、上述したようにＰＡＴで指定される。また、ＮＩＴは、伝送路に関する識別番号と物理的な情報と含む情報を示す。すなわち、ＮＩＴは具体的には、放送局からの送信ごとに固有なネットワークＩＤと、当該デジタル放送信号を受信するための周波数とを含む情報を示す。ＮＩＴ自体のＰＩＤは、上述したようにＰＡＴで指定される。
【００３３】
さらに、ＮＩＴのテーブル構造の具体例を図２に示す。図２を参照して、ＮＩＴは、テーブルの種別を示すテーブルＩＤと、ネットワークを識別するネットワークＩＤと、テーブルの内容が更新される都度加算されるバージョン番号と、新旧バージョンを同時に伝送する際の識別に用いられるカレント・ネクスト・インジケータと、ディスクリプタとを含んで構成される。
【００３４】
さらに、上述のディスクリプタは、ネットワークディスクリプタ長にしたがって繰返されるディスクリプタの１番目として使用されるものであって、地上波デジタル放送固有の構成である。そのため、ＣＡＴＶ伝送路で当該地上波デジタル放送信号を送信する際には、Ｈ／Ｅ１は、当該ディスクリプタをＣＡＴＶ伝送固有の構成に書換える必要がある。
【００３５】
ＳＴＢ５は、各家庭に備えられる装置であって、Ｈ／Ｅ１から受信した放送信号から所定の番組情報を抽出し、テレビジョン受像機に対して出力する。また、ＳＴＢ５は、テレビジョン受像機に含まれる装置であってもよい。
【００３６】
本実施の形態におけるＨ／Ｅ１のハードウェア構成の具体例を図３に示す。図３を参照して、Ｈ／Ｅ１は、地上波デジタル放送ＴＳをＣＡＴＶ用のデジタル放送信号に変換する変調変換送出装置＃１〜＃Ｎを含んで構成される。
【００３７】
さらに、変調変換送出装置＃１は、チューナ１１、変調信号受信部１２、ＴＳ処理部１３、ＱＡＭ（Ｑｕａｄｒａｔｕｒｅ  Ａｍｐｌｉｔｕｄｅ  Ｍｏｄｕｌａｔｉｏｎ）変調部１４、周波数変換部１５、ＮＩＴ検出部１６、メモリ１７，１８、インタフェース１９とを含んで構成される。
【００３８】
アンテナ２４で受信された信号は、チューナ１１により、所望の周波数帯域の地上波デジタル放送信号が選択されて、変調信号受信部１２に渡される。
【００３９】
変調信号受信部１２は、チューナ１１から渡された、例えば直交周波数分割多重変調（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ）されたデジタル変調信号を復調した後、誤り訂正処理を行ない、ＴＳ処理部１３とＮＩＴ検出部１６とに出力する。
【００４０】
ＮＩＴ検出部１６は、放送ＴＳに含まれるＮＩＴを検出し、メモリ１７に一旦記憶する。そして、ＮＩＴ検出部１６は、メモリ１７に一旦記憶したＮＩＴをＣＡＴＶ用に置換える。ＮＩＴは、周波数や変調方式等の伝送路に関する物理情報であり、各放送局Ａ〜Ｎから受信したＴＳには、地上波デジタル放送に固有のＮＩＴが格納されている。ＣＡＴＶ放送では、通常は伝送路として同軸ケーブルが用いられているため、ＮＩＴ検出部１６は、これに適するようにＣＡＴＶ伝送用のＮＩＴに置換する。
【００４１】
また、メモリ１７に書込まれたＮＩＴは、インタフェース１９を介してコントローラ２０に転送される。また、コントローラ２０は、メモリ１７に書込まれたＮＩＴに対してＣＡＴＶ用として送出間隔等のスケジュール情報を付与し、送出用のメモリ１８に記憶する。そして、メモリ１８に記憶されたＮＩＴは、待機状態におかれる。メモリ１８は、コントローラ２０によって作成されたＣＡＴＶ  ＮＩＴの送出用として準備されているメモリである。
【００４２】
ＴＳ処理部１３は、放送ＴＳからＮＩＴを含むＰＳＩ等の制御情報を用いて所定の番組リストを抽出し、ＮＩＴをＣＡＴＶ用に置換える処理をする。また、複数のＴＳを受信しているときは、これらのＴＳを分離し、この後、多重化してＱＡＭ変調部１４に出力する。
【００４３】
ＱＡＭ変調部１４は、ＣＡＴＶ用のＮＩＴが置換えられたＴＳをＱＡＭ変調し、ＱＡＭ変調信号を周波数変換部１５に出力する。
【００４４】
周波数変換部１５は、ＱＡＭ変調信号の周波数変換処理を行ない、ＶＨＦ帯またはＵＨＦ帯の所定の伝送周波数のＣＡＴＶ用デジタル放送信号を合波器２３に出力する。
【００４５】
他の変調変換送出装置＃２〜＃Ｎも、変調変換送出装置＃１と同様に構成されており、各変調変換送出装置において周波数変換されたＣＡＴＶ用デジタル放送信号が合波器２３で合波され、ＣＡＴＶ伝送路に送出される。
【００４６】
コントローラ２０は、Ｈ／Ｅ１全体の制御を行なうもので、動作状態を表示・監視するための表示部２１と、制御操作を行なう操作部２２とを含んで構成される。
【００４７】
コントローラ２０は、インタフェース１９を介して各変調変換送出装置＃１〜＃Ｎへ制御信号を送出し、チューナ１１における同調の制御、ＮＩＴ検出部１６の制御、メモリ１８へＣＡＴＶ用ＮＩＴを記憶する制御、ＴＳ処理部１３へＮＩＴを送出する制御、ＴＳ処理部１３におけるＮＩＴの置換、多重化処理の制御、および周波数変換部１５の周波数設定を行なう。
【００４８】
次に、本実施の形態のＨ／Ｅ１の機能構成について、図４にブロック図を示す。図４に示される各ブロックの一部または全部は、Ｈ／Ｅ１のコントローラ２０に含まれるＣＰＵ（Ｃｅｎｔｒａｌ  Ｐｒｏｃｅｓｓｉｎｇ  Ｕｎｉｔ）が、図示されない記憶装置に記憶されているプログラムを読出して実行し、上述の各部に制御信号を送出することによって機能する。
【００４９】
図４を参照して、本実施の形態におけるＨ／Ｅ１は、復調部１０１において、放送局から受信したデジタル放送信号を復調し、デジタル放送信号に含まれるＴＳを抽出する。
【００５０】
次に、ＮＩＴ取得部１０２において、デジタル放送信号に含まれるＴＳに多重されているパケットから、ＮＩＴを取得する。具体的には、放送局Ａからのデジタル放送信号を処理する変調変換送出装置＃１で取得されるＮＩＴには、当該ネットワークの固有情報であるネットワークＩＤ「ａ」が含まれる。同様に、放送局Ｂからのデジタル放送信号を処理する変調変換送出装置＃２で取得されるＮＩＴには、当該ネットワークの固有情報であるネットワークＩＤ「ｂ」が含まれ、放送局Ｎからのデジタル放送信号を処理する変調変換送出装置＃Ｎで取得されるＮＩＴには、当該ネットワークの固有情報であるネットワークＩＤ「ｎ」が含まれる。
【００５１】
各放送局Ａ〜Ｎからのデジタル放送信号より取得されたＮＩＴは、各変調変換送出装置のＮＩＴ取得部１０２からＮＩＴ処理部１０５へ渡される。
【００５２】
ＮＩＴ処理部１０５は、ＮＩＴ解析処理部１０５１と、ＮＩＴ生成部１０５２とを含んで構成される。
【００５３】
ＮＩＴ解析処理部１０５１は、ＮＩＴ取得部１０２から受取ったＮＩＴを解析する。そして、ＮＩＴ生成部１０５２は、ＮＩＴ解析処理部１０５１での解析結果に基づいて、新たなＮＩＴを生成する。具体的には、ＮＩＴ生成部１０５２は、ＮＩＴ解析処理部１０５１での解析結果に基づいて、新たな１つのネットワークＩＤ「ｚ」と、各放送信号をＣＡＴＶ伝送路を介して受信するための周波数情報とを含むＮＩＴを新たに生成する。
【００５４】
ＮＩＴ生成部１０５２で生成された新たなＮＩＴは、各変調変換送出装置のＮＩＴ書換部１０３に渡され、ＮＩＴ書換部１０３において、復調されたデジタル放送信号からＮＩＴ取得部１０２で取得されたＮＩＴが、新たなＮＩＴに書換えられる。
【００５５】
そして、変調部１０４は、新たなＮＩＴを含むデジタル放送信号をＣＡＴＶ放送用に変調し、合波器２３に送出する。
【００５６】
さらに、本実施の形態のＨ／Ｅ１における処理について、図５のフローチャートを用いて説明する。図５のフローチャートに示される処理は、コントローラ２０に含まれるＣＰＵが、図示されない記憶装置に記憶されているプログラムを読出して実行し、図４に示される各部を機能させることで実現される。
【００５７】
図５を参照して、始めに、Ｈ／Ｅ１に含まれる各変調変換送出装置のチューナ１１で所定の周波数に同調し、アンテナ２４を介して変調信号受信部１２において、各放送局から地上波デジタル信号に変調されて送信された放送信号を受信する（Ｓ１０１）。
【００５８】
次に、復調部１０１において、変調信号受信部１２で受信した放送信号に対して復調処理を実行してＴＳを抽出し、ＮＩＴ抽出部１６でＴＳからＮＩＴを抽出し、ＮＩＴ取得部１０２において抽出されたＮＩＴを取得する処理を行なう（Ｓ１０３）。そして、ステップＳ１０３で各放送局の放送信号から取得されたＮＩＴは、ＮＩＴ処理部１０５のＮＩＴ解析処理部１０５１に渡され、解析される。ここでは、各ＮＩＴに示される伝送路に関する識別番号と物理的な情報と、すなわち、放送局からの送信ごとに固有なネットワークＩＤと、当該デジタル放送信号を受信するための周波数とを解析する。
【００５９】
次に、ＮＩＴ生成部１０５２において、ＮＩＴ解析処理部１０５１での解析結果に基づいて、新たなＮＩＴを生成する処理を行なう（Ｓ１０５）。ステップＳ１０５において、ＮＩＴ生成部１０５２は、新たな１つのネットワークＩＤと、各放送局からのデジタル放送信号をＣＡＴＶ伝送路を介して受信するための周波数情報とを含むＮＩＴを生成する。
【００６０】
次に、ＮＩＴ書換部１０３において、各変調変換送出装置において各放送局からのＴＳよりステップＳ１０３で抽出されたＮＩＴを、ステップＳ１０５で生成された新たなＮＩＴに書換える（Ｓ１０７）。ステップＳ１０７での書換処理は、ＴＳに含まれるＮＩＴを抜出して、新たなＮＩＴに置換えることで実現されてもよいし、ＴＳに含まれるＮＩＴを新たなＮＩＴで上書きすることで実現されてもよい。
【００６１】
次に、変調部１０４において、新たなＮＩＴを含むＴＳに対して、ＣＡＴＶ伝送路を介して受信するための周波数に変調し（Ｓ１０９）、合波器２３へ送出する。
【００６２】
そして、合波器２３においては、各変調変換送出装置から受取った、各放送局からの放送信号であって、ステップＳ１０９で変調された放送信号を合波し（Ｓ１１１）、ＣＡＴＶ伝送路へ送出する（Ｓ１１３）。
【００６３】
以上の処理を、各放送局からの地上波デジタル放送信号に対して並行して実行する。
【００６４】
上述の処理を行なうＨ／Ｅ１から送出された放送信号を受信するＳＴＢ５の構成の具体例を図６に示す。図６を参照して、ＳＴＢ５は、チューナ５１、ＱＡＭ受信部５２、デスクランブラ５３、デマルチプレクサ５４、音声処理部５５、映像処理部５６、ＯＳＤ（Ｏｎ  Ｓｃｒｅｅｎ  Ｄｉｓｐｌａｙ）部５７、ＮＩＴ検出部５９、コントローラ６０、ＩＣカードＩ／Ｆ（インタフェース）部６１、チャンネル入力部６３、メモリ６４、電源スイッチ６５、およびリセットスイッチ６６を含んで構成される。
【００６５】
ＳＴＢ５は、Ｈ／Ｅ１で多重化されたデジタル放送信号を、同軸ケーブルからなるＣＡＴＶ伝送路を介して受信する。受信されたデジタル放送信号は、チューナ５１に渡される。そして、チューナ５１によって所定のＲＦチャンネルの放送信号が選択されて、ＱＡＭ変調信号が出力されてＱＡＭ受信部５２に出力する。
【００６６】
ＱＡＭ受信部５２は、チューナ５１から渡されたＱＡＭ変調信号を復調して誤り訂正し、ＭＰＥＧのＴＳとしてデスクランブラ５３とＮＩＴ検出部５９とに出力する。
【００６７】
デスクランブラ５３は、ＱＡＭ受信部５２から渡されたＭＰＥＧのＴＳに含まれるスクランブル処理されている映像データや音声データや付加データのパケットに対して、内蔵するＩＣカード６２からＩＣカードＩ／Ｆ部６１を介して読出した鍵情報に基づいて、スクランブル解除処理を行なう。スクランブル解除処理されたＭＰＥＧのＴＳは、デマルチプレクサ５４に出力される。
【００６８】
デマルチプレクサ５４は、デスクランブラ５３から渡されたスクランブル解除処理されたＭＰＥＧのＴＳより、チャンネル選択されたチャンネルの映像データ，音声データのパケットを分離し、それらのパケットからの映像データストリームと音声データストリームとを出力する。さらに、デマルチプレクサ５４は、そのチャンネルの付加データのパケットを分離し、そのパケットからなる付加データストリームをコントローラ６０に出力する。また、デマルチプレクサ５４は、コントローラ６０からの制御に基づいて、ＰＳＩあるいはＳＩをコントローラ６０に出力する。
【００６９】
映像処理部５６は、デマルチプレクサ５４から渡された映像データストリームに対してデータ伸張処理などを施し、映像信号を出力する。また、ＯＳＤ部５７は、コントローラ６０で作成された各種文字表示信号を取得する。この文字表示信号と映像信号とは、合成器５８で合成されて出力される。音声処理部５５は、デマルチプレクサ５４から渡された音声データストリームに対してデータ伸張処理などを施し、音声信号を出力する。
【００７０】
ＮＩＴ検出部５９は、ＱＡＭ受信部５２から渡されたＭＰＥＧのＴＳに含まれるＮＩＴであって、Ｈ／Ｅ１で新規に作成されて付加されたＮＩＴを検出し、コントローラ６０に渡す。ＮＩＴ検出部５９で検出されるＮＩＴは、ＣＡＴＶ伝送路を介して放送信号を受信する際の周波数の情報を含み、当該１つのネットワークで受信するＮＩＴに、各放送局からの放送信号を受信するための各周波数の情報が含まれる。コントローラ６０は、ＮＩＴ検出部５９から受取ったＮＩＴを、メモリ６４に一旦記憶する。
【００７１】
ＩＣカード６２は、地上波デジタル放送事業者が設定した視聴可否情報およびスクランブルの鍵情報などを記憶しており、コントローラ６０からＩＣカードＩ／Ｆ部６１を介して渡される当該ユーザの限定受信情報に基づいて視聴の可否を判断し、視聴可能であればスクランブルの鍵情報をＩＣカードＩ／Ｆ部６１を介してコントローラ６０に出力する。
【００７２】
チャンネル入力部６３は、ユーザがチャンネルを選択する際にチャンネル情報を入力するものであり、そのチャンネル情報をコントローラ６０に出力する。そして、コントローラ６０は、チャンネル入力部６３から渡されたチャンネル情報に基づき、メモリ６４に記憶されているＮＩＴを参照して、チューナ５１における同調の制御を行なう。
【００７３】
また、コントローラ６０には、電源スイッチ６５とリセットスイッチ６６とが接続されている。コントローラ６０は、電源スイッチ６５のオン／オフにかかわらず、電源が入っている限り動作し、各ブロックの制御を行なう。
【００７４】
本実施の形態のＨ／Ｅ１においては、上述のように、複数のネットワークで各放送局から送信される複数の地上波デジタル放送信号の全てを認識して、各々の放送信号に含まれるＮＩＴを、新たな１つのネットワークＩＤを含む１つのＮＩＴに書換えてＳＴＢ５に再配信する。このことによって、ＳＴＢ５では、各放送局ごとのネットワークＩＤに対応した複数のＮＩＴを処理する必要がなく、書換えられた１つのネットワークＩＤに対応した１つのＮＩＴを処理するだけでよい。このため、ＳＴＢ５における処理を大幅に軽減させることができ、図６に示すようにＳＴＢ５の構成を簡単にすることができる。すなわち、ＳＴＢのコストを大幅に軽減させることができ、地上波デジタル放送の普及に多いに貢献するものである。また、１つのネットワークＩＤした処理のみ行なうため、処理量の多いネットワーク間を切替える処理が不要となり、チャンネル切替の操作スピードを向上させることができる。また、ＳＴＢでの動作を安定化させることができる。このことは、いわゆるザッピングといわれる順次チャンネルを切替えて番組を選択する操作において特に有効である。
【００７５】
なお、本実施の形態では、複数の地上波デジタル放送信号に含まれる複数のネットワークＩＤに対応したＮＩＴを、１つのネットワークＩＤに対応したＮＩＴに書換える場合について述べたが、新たなＮＩＴが対応しているネットワークＩＤは１つに限定されず、当該複数のネットワークＩＤよりも少ない数のネットワークに対応していればよい。
【００７６】
また、本実施の形態のＨ／Ｅ１においては、複数の放送局からの地上波デジタル放送信号に含まれるＮＩＴを全て認識し、１つのＮＩＴに書換えてＣＡＴＶ伝送路にて再配信するため、ＣＡＴＶ伝送路にて伝送されるデータ量が膨大になることを防ぐことができる。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態におけるデジタル放送送信システムの構成の具体例を示す図である。
【図２】ＮＩＴのテーブル構造の具体例を示す図である。
【図３】Ｈ／Ｅ１のハードウェア構成の具体例を示す図である。
【図４】Ｈ／Ｅ１の機能構成の具体例を示す図である。
【図５】Ｈ／Ｅ１における処理を示すフローチャートである。
【図６】ＳＴＢ５の構成の具体例を示す図である。
【図７】従来より提案されているデジタル放送信号の送信システムの構成の具体例を示す図である。
【図８】従来より提案されているデジタル衛星放送信号の送信システムの構成の他の具体例を示す図である。
【符号の説明】
１  Ｈ／Ｅ、５  ＳＴＢ、１１  Ｈ／Ｅのチューナ、１２  変調信号受信部、１３  ＴＳ処理部、１４  ＱＡＭ変調部、１５  周波数変換部、１６  Ｈ／ＥのＮＩＴ検出部、１７，１８  Ｈ／Ｅのメモリ、１９  インタフェース、２０  Ｈ／Ｅのコントローラ、２１  表示部、２２  操作部、２３  Ｈ／Ｅの合波器、２４  アンテナ、５１  ＳＴＢのチューナ、５２  ＱＡＭ受信部、５３  デスクランブラ、５４  デマルチプレクサ、５５  音声処理部、５６  映像処理部、５７ＯＳＤ部、５８  ＳＴＢの合波器、５９  ＳＴＢのＮＩＴ検出部、６０  ＳＴＢのコントローラ、６１  ＩＣカードＩ／Ｆ部、６２  ＩＣカード、６３  チャンネル入力部、６４  ＳＴＢのメモリ、６５  電源スイッチ、６６  リセットスイッチ、１０１  復調部、１０２  ＮＩＴ取得部、１０３  ＮＩＴ書換部、１０４  変調部、１０５  ＮＩＴ処理部、１０５１  ＮＩＴ解析処理部、１０５２  ＮＩＴ生成部。
【図１】
2004242074.tif 000003
【図２】
2004242074.tif 000004
【図３】
2004242074.tif 000005
【図４】
2004242074.tif 000006
【図５】
2004242074.tif 000007
【図６】
2004242074.tif 000008
【図７】
2004242074.tif 000009
【図８】
2004242074.tif 000010